(57)【要約】      （修正有）【課題】２個の出力部と３個の電極で「回転さすり」ほかの感覚を得ることができ、治療時の電極の結線まちがいやリード線のからみが生じ難く、また治療後の電極の片づけが容易な波形発生装置を提供する。【解決手段】生体表面の任意の三角形の頂点となる位置にそれぞれ配置する第１、第２及び第３電極と、第１の時間幅を有する高周波部分と第２の時間幅を有する休止部分とで１サイクルを構成する間欠波をあらかじめ定めた低周波周期で連続して出力する間欠波生成手段と、周波数が同一の第１及び第２超低周波信号を発振する２相信号発振手段と、間欠波を第１超低周波信号で振幅変調し第１電極と第２電極との間に出力する第１出力制御手段と、間欠波を第２超低周波信号で振幅変調し第１電極と第３電極との間に出力する第２出力制御手段とを備え、第１超低周波信号と第２超低周波信号とを、あらかじめ定めた位相関係とし、電気的刺激を生体に与える構成を採る。【選択図】図１
2019093093.tif 000002
【特許請求の範囲】
【請求項１】
生体表面の任意の三角形の頂点となる位置にそれぞれ配置する第１，第２及び第３電極と、第１の時間幅を有する高周波部分と第２の時間幅を有する休止部分とで１サイクルを構成する間欠波をあらかじめ定めた低周波周期で連続して出力する間欠波生成手段と、周波数が同一の第１及び第２超低周波信号を発振する２相信号発振手段と、前記間欠波生成手段が出力した間欠波を前記第１超低周波信号で振幅変調し前記第１電極と前記第２電極との間に出力する第１出力制御手段と、前記間欠波生成手段が出力した間欠波を前記第２超低周波信号で振幅変調し前記第１電極と前記第３電極との間に出力する第２出力制御手段と、を備え、前記第１超低周波信号と、前記第２超低周波信号とを、あらかじめ定めた位相関係とすることを特徴とする電気的刺激を前記生体に与える波形発生装置。
【請求項２】
前記高周波の周波数は、１０ＫＨｚ以上、６５０ＫＨｚ以下であることを特徴とする請求項１に記載の波形発生装置。
【請求項３】
前記低周波周期は、１ＫＨｚ以上、１０ＫＨｚ以下であることを特徴とする請求項１または２記載の波形発生装置。
【請求項４】
前記第１超低周波および前記第２超低周波信号の周波数は、０．０５Ｈｚ以上、１０Ｈｚ以下であることを特徴とする請求項１乃至３のいずれか１項記載の波形発生装置。
【請求項５】
前記あらかじめ定めた位相関係が、前記第１超低周波信号の位相に対し、前記第２超低周波信号の位相が、略１２０度、進んでいるか、或いは遅れていることを特徴とする請求項１乃至４のいずれか１項記載の波形発生装置。
【請求項６】
前記あらかじめ定めた位相関係が、前記第１超低周波信号の位相と前記第２超低周波信号の位相のいずれか一方が、他方に対して１サイクル毎に同相と逆相を交互に繰り返すことを特徴とする請求項１乃至４のいずれか１項記載の波形発生装置。
【請求項７】
前記あらかじめ定めた位相関係が、前記第１超低周波信号の位相と前記第２超低周波信号の位相とが略逆相の関係であることを特徴とする請求項１乃至４のいずれか１項記載の波形発生装置。
【請求項８】
前記第１超低周波信号の位相と前記第２超低周波信号の位相とが略逆相の関係から、更に１０度以上、３０度以下の範囲での位相の遅れ又は進みがあることを特徴とする請求項７に記載の波形発生装置。
【請求項９】
前記第１の時間幅を第３超低周波周期で、前記低周波周期を第４超低周波周期で、変化させることを特徴とする請求項１乃至８のいずれか１項記載の波形発生装置。
【発明の詳細な説明】
【技術分野】
【０００１】  本発明は、生体に電気刺激を与えることで筋肉トレーニング、リラクゼーション、シェイプアップ、および筋肉痛施術、疲労回復などを効果的に行う生体刺激用信号の波形発生装置に関する。
【背景技術】
【０００２】  生体表面に電極（導子、パッド）を接触させ電気的パルス波や正弦波を与えることで筋肉に電気刺激を与え筋肉の活性化やリラックス効果が得られることは広く知られており、電気治療装置や健康器具として生体刺激用信号の波形発生装置が実用化されている。【０００３】  従来、この種の電気的生体刺激用波形発生装置では、患者の体表面に装着された一対の電極間に低周波治療用信号を付与することにより行われている。さらに、患者の体表面を適度な力でもって手でなぞっていくと言った感覚や「回転さすり」の感覚を得られるようにした多チャンネル式の波形発生装置も提案されている。【０００４】  例えば、特許文献１には、複数の出力部（出力制御部）からの出力を互いに時間をずらして順次行わせるモードを有している波形発生装置が記載されている。
【先行技術文献】
【特許文献】
【０００５】
【特許文献１】特開２００３−２４５３６３号公報
【発明の概要】
【発明が解決しようとする課題】
【０００６】  特許文献１に記載の波形発生装置においては、複数の出力部からの出力を互いに時間をずらして順次行わせており、１つの出力部には一対、すなわち２個の電極が必要で、複数の出力部には少なくとも４個の電極が必要となる。【０００７】  さらに、段落００４０には、「回転さすり」の感覚を十分得るには、出力部の数は３組以上、特に実施形態で示すような４組以上とするのが好ましいと記載されており、４組では、８本の電極が必要となり、治療時の結線まちがいやリード線のからみが生じ易く、また治療後の電極の片づけが煩雑になるなどの課題があった。【０００８】  本発明は、この様な従来の問題点を解決するものであり、わずか２個の出力部（出力制御部）と３個の電極で「回転さすり」ほかの感覚を得ることができ、治療時の結線まちがいやリード線のからみが生じ難く、また治療後の電極の片づけが容易な波形発生装置を提供することを目的とする。
【課題を解決するための手段】
【０００９】  本発明の波形発生装置は、生体表面の任意の三角形の頂点となる位置にそれぞれ配置する第１，第２及び第３電極と、第１の時間幅を有する高周波部分と第２の時間幅を有する休止部分とで１サイクルを構成する間欠波をあらかじめ定めた低周波周期で連続して出力する間欠波生成手段と、周波数が同一の第１及び第２超低周波信号を発振する２相信号発振手段と、間欠波生成手段が出力した間欠波を第１超低周波信号で振幅変調し第１電極と第２電極との間に出力する第１出力制御手段と、間欠波生成手段が出力した間欠波を第２超低周波信号で振幅変調し第１電極と第３電極との間に出力する第２出力制御手段と、を備え、第１超低周波信号と、第２超低周波信号とを、あらかじめ定めた位相関係とし、電気的刺激を生体に与える構成を採る。
【発明の効果】
【００１０】  本発明によれば、わずか２個の出力制御部と３個の電極で「回転さすり」「上下もみ」「左右もみ」といった感覚を、電極の位置を変更することなく、得ることができ、治療時の電極の結線まちがいやリード線のからみが生じ難く、また治療後の電極の片づけが容易な波形発生装置を提供できる。
【図面の簡単な説明】
【００１１】
【図１】本発明の一実施の形態に係る波形発生装置の構成を示すブロック図
【図２】本発明の一実施の形態に係る波形発生装置が発生する間欠波の生成を説明する為の図
【図３】本発明の一実施の形態に係る波形発生装置が発生し出力する波形生成（回転さすり）を説明する為の図
【図４】本発明の一実施の形態に係る波形発生装置が発生し出力する波形で回転さすりの実現を説明する為の図
【図５】本発明の一実施の形態に係る波形発生装置が発生し出力する波形生成（上下もみ）を説明する為の図
【図６】本発明の一実施の形態に係る波形発生装置が発生し出力する波形生成（左右もみ）を説明する為の図
【発明を実施するための形態】
【００１２】  以下、本発明の一実施の形態について図面を参照して詳細に説明する。
【００１３】  図１は、本発明の一実施の形態に係る波形発生装置の構成を示すブロック図であり、ＣＰＵ（Ｃｅｎｔｒａｌ  Ｐｒｏｃｃｅｓｓｉｎｇ  Ｕｎｉｔ）１、連続波発振部２、間欠波変換部３、２相信号発振部４、第１出力制御部５、第２出力制御部６、波形選択用操作パネル７、位相モード設定用操作パネル８、波形強度設定用操作パネル９、第１電極１１、第２電極１２及び第３電極１３を備える。
【００１４】  波形選択用操作パネル７では、「インナートレーニング」と「リラクゼーション」とを選択できる。波形選択用操作パネル７では、「回転」「上下」と「左右」の選択と、スピードをダイヤル設定できる。波形強度設定用操作パネル９では、強度をダイヤル設定できる。
【００１５】  図２は、本発明の一実施の形態に係る波形発生装置が発生する間欠波の生成を説明する為の図である。図２ａは、ＣＰＵ１から出力される指示値１０１に基づいて連続波発振部２から間欠波変換部３に出力する周波数ｆ１の連続高周波の波形を示す図である。
【００１６】  図２ｂは、ＣＰＵ１から出力される指示値１０２に基づいて、連続高周波を第１の時間幅１０３と第２の時間幅１０４を有する休止部分とで１サイクルを構成する周波数ｆ２の低周波周期１０５を有する間欠波に変換して間欠波変換部３から連続して出力された間欠波１０６を示す図である。
【００１７】  図３は、本発明の一実施の形態に係る波形発生装置が発生し出力する波形生成（回転さすり）を説明する為の図である。
【００１８】  図３ａは、第１出力制御部５および第２出力制御部６に入力される間欠波１０６を示している。図３ｂは、２相信号発振部４から第１出力制御部５に出力される第１超低周波信号の極性値１１１の状態を示す図である。図３ｃは、図３ｂの極性に同期して、間欠波１０６の極性が変化する状態を示す図である。
【００１９】  図３ｄは、２相信号発振部４から第１出力制御部５に出力される第１超低周波信号の振幅値１１２の変化を示す図である。作画の都合で半円状に記載しているが、動作説明は正弦波状の場合でする。図３ｅは、極性変化された間欠波（ｃ）が第１超低周波信号（ｄ）で振幅変調され、第１電極１１と第２電極１２との間に出力される第１出力波１１３の状態を示す図である。
【００２０】  図３ｆは、２相信号発振部４から第２出力制御部６に出力される第２超低周波信号の極性値１１６の状態を示す図である。図３ｇは、図３ｆの極性に同期して、間欠波１０６の極性が変化する状態を示す図である。
【００２１】  図３ｈは、２相信号発振部４から第２出力制御部６に出力される第２超低周波信号の振幅値１１７の変化を示す図である。作画の都合で半円状に記載しているが、動作説明は正弦波状の場合でする。
【００２２】  ２相信号発振部４から第２出力制御部６に出力される第２超低周波信号の位相（ｄ１１，ｄ１２）は、２相信号発振部４から第１出力制御部５に出力される第１超低周波信号の位相に対し、略１２０度遅れていることを示している。
【００２３】  図３ｉは、極性変化された間欠波（ｇ）が第２超低周波信号（ｈ）で振幅変調され第１電極１１と第３電極１３との間に出力される第２出力波１１８の状態を示す図である。
【００２４】  第１電極１１，第２電極１２と第３電極１３は、生体表面の任意の三角形の頂点となるそれぞれの位置に配置する。
【００２５】  図４は、本発明の一実施の形態に係る波形発生装置が発生し出力する波形の回転さすりの実現を説明する為の図である。（ａ）（ｂ）（ｃ）の各図については後述する。
【００２６】  図５は、本発明の一実施の形態に係る波形発生装置が発生し出力する波形生成（上下もみ）を説明する為の図である。
【００２７】  図５ａは、第１出力制御部５および第２出力制御部６に入力される間欠波１０６を示している。図５ｂは、２相信号発振部４から第１出力制御部５に出力される第１超低周波信号の極性値１１１の状態を示す図である。
【００２８】  図５ｃは、２相信号発振部４から第１出力制御部５に出力される第１超低周波信号の振幅値１１２の変化を示す図である。作画の都合で半円状に記載しているが、動作説明は正弦波状の場合でする。
【００２９】  図５ｄは、２相信号発振部４から第２出力制御部６に出力される第２超低周波信号の極性値１１６の状態を示す図である。図５ｅは、２相信号発振部４から第２出力制御部６に出力される第２超低周波信号の振幅値１１７の変化を示す図である。作画の都合で半円状に記載しているが、動作説明は正弦波状の場合でする。
【００３０】  ２相信号発振部４から第２出力制御部６に出力される第２超低周波信号の位相は、２相信号発振部４から第１出力制御部５に出力される第１超低周波信号の位相に対し、１サイクル毎に、同相と逆相を交互に繰り返していることを示している。
【００３１】  図５ｆは、図５ｂと図５ｃとを１つの波形で表したものであり、ここでは、動作説明と同様に正弦波状で示している。図５ｇは、図５ｄと図５ｅとを１つの波形で表したものであり、図５ｆ同様、正弦波状で示している。
【００３２】  図６は、本発明の一実施の形態に係る波形発生装置が発生し出力する波形生成（左右もみ）を説明する為の図である。
【００３３】  図６ａは、第１出力制御部５および第２出力制御部６に入力される間欠波１０６を示している。図６ｂは、２相信号発振部４から第１出力制御部５に出力される第１超低周波信号の極性値１１１の状態を示す図である。
【００３４】  図６ｃは、２相信号発振部４から第１出力制御部５に出力される第１超低周波信号の振幅値１１２の変化を示す図である。作画の都合で半円状に記載しているが、動作説明は正弦波状の場合でする。
【００３５】  図６ｄは、２相信号発振部４から第２出力制御部６に出力される第２超低周波信号の極性値１１６の状態を示す図である。図６ｅは、２相信号発振部４から第２出力制御部６に出力される第２超低周波信号の振幅値１１７の変化を示す図である。作画の都合で半円状に記載しているが、動作説明は正弦波状の場合でする。
【００３６】  ２相信号発振部４から第２出力制御部６に出力される第２超低周波信号の位相は、２相信号発振部４から第１出力制御部５に出力される第１超低周波信号の位相に対し、略逆相であることを示している。
【００３７】  図６ｆは、図６ｂと図６ｃとを１つの波形で表したものであり、ここでは、動作説明と同様に正弦波状で示している。図６ｇは、図６ｄと図６ｅとを１つの波形で表したものであり、図６ｆ同様、正弦波状で示している。
【００３８】  次に、「回転さすり」効果について説明する。
【００３９】  波形選択用操作パネル７で、例えば、「インナートレーニング」というメニュー選択、位相モード設定用操作パネル８で「回転」というメニュー及び、例えば、「スピード」１から１０という目盛の「スピード：２」という値をダイヤル設定、波形強度設定用操作パネル９で、例えば、「強度」０から３０という目盛の「強度：３０」という値をダイヤル設定、されると、ＣＰＵ１は、予め決められた設定条件に基づいて、連続波発振部２を指示値１０１により制御し、パルス周波数ｆ１が、例えば、６００ｋＨｚの連続した高周波を発振させ、間欠波変換部３に出力する。
【００４０】  ＣＰＵ１は、間欠波変換部３に対して、指示値１０２により制御し、例えば、連続高周波ｆ１を第１の時間幅１０３が５０μ秒から４００μ秒の範囲を第３超低周波周期２０Ｈｚで変化し、周波数ｆ２が１ｋＨｚから１０ｋＨｚの範囲を第４超低周波周期５Ｈｚで変化する低周波周期１０５を有する間欠波１０６として、第１出力制御部５及び第２出力制御部６に出力する。
【００４１】  なお、第１の時間幅１０３及び周波数ｆ２が周期的に変化している状態は図示していない。また、第３超低周波周期と第４超低周波周期とは同期していても非同期でも良く、更には第３超低周波周期あるいは第４超低周波周期が変化せず、固定であっても良い。
【００４２】  第３超低周波周期あるいは第４超低周波周期を変化させると生体への刺激を変化でき、インナートレーニングやリラクゼーション効果を高めることが出来る。
【００４３】  ＣＰＵ１は、各操作パネル７，８及び９からの選択・設定値ならびにプログラム設定値に基づいて２相信号発振部４に対し第１及び第２超低周波信号ｆ３の周波数値１５１として１Ｈｚ、第２出力制御部６に出力される第２超低周波信号の極性値１１６と振幅値１１７の位相を第１出力制御部５に出力される第１超低周波信号の極性１１１と振幅値１１２の位相に対して１２０度の遅れ、及び振幅値１１２と振幅値１１７の最大値１５３として、「強度：３０」という値に対応して、例えば、４０Ｖ、を出力する。
【００４４】  ２相信号発振部４が発振する２相信号を、第１出力制御部５に対してＡｓｉｎ（θ）、第２出力部６に対してＡｓｉｎ（θ＋φ）で表すと、φ＝−１２０度と示すことができる。”Ａ”は、振幅最大値１５３である。
【００４５】  ２相信号発振部４は、第１超低周波信号の極性値１１１と振幅値１１２とで規定される第１出力波１１３の１周期毎のタイミングと、第２超低周波信号の極性値１１６と振幅値１１７とで規定される第２出力波１１８の１周期毎のタイミングとをタイミング信号１５４として、ＣＰＵ１に対して出力する。
【００４６】  すなわち、θ＝３６０度の整数倍のタイミングとθ＋φ＝３６０度の整数倍のタイミングとを、２相信号発振部４は、ＣＰＵ１に対して知らせて、２相信号間の同期を維持する。
【００４７】  ２相信号発振部４は、Ａｓｉｎ（θ）に基づき、第１出力制御部５に図３ｂで示す第１超低周波信号の極性値１１１と図３ｄで示す第１超低周波信号の振幅値１１２とを出力し、Ａｓｉｎ（θ＋φ）に基づき、第２出力制御部６に図３ｆで示す第２超低周波信号の極性値１１７と図３ｈで示す第２超低周波信号の振幅値１１７とを出力する。
【００４８】  第１出力制御部５は、図３ａで示す間欠波１０６を図３ｂで示す第１超低周波信号の極性値１１１で変化させた図３ｃで示す波形を図３ｄで示す第１超低周波信号の振幅値で振幅変調して図３ｅで示す波形を第１電極１１と第２電極１２との間に第１出力波１１３として出力する。
【００４９】  第２出力制御部６は、図３ａで示す間欠波１０６を図３ｆで示す第２超低周波信号の極性値１１６で変化させた図３ｇで示す波形を図３ｈで示す第２超低周波信号の振幅値で振幅変調して図３ｉで示す波形を第１電極１１と第３電極１３との間に第２出力波１１８として出力する。
【００５０】  図４ａに示すように三角形の頂点となるそれぞれの位置に第１電極１１，第２電極１２，第３電極１３が配置されている場合で「回転さすり」の実現を説明する。なお、図４における各電圧ベクトルＰ１，Ｐ２，Ｐ３’，Ｐ３は、ベクトルすなわち方向と大きさのみを表現するものであり、電圧印加の基準位置までを示したものではない。
【００５１】  第１出力波１１３を第１電極１１から第２電極１２への方向のベクトルＰ１で表される電圧として印加し、図４ｃに示すように、その位相が基準点から６０度遅れた位相角ｄ１の場合、第２出力波１１８をベクトルＰ１から１２０度位相が遅れた位相角ｄ２で第３電極１３から第１電極１１への方向のベクトルＰ２で表される電圧として印加する。
【００５２】  ベクトルＰ１とベクトルＰ２との合成ベクトル（Ｐ１＋Ｐ２）は、図４ｂの破線で示すように第３電極１３から第２電極１２への方向にベクトルＰ３´で表される電圧が印加されるので、第２電極１２から第３電極１３に向けては−（Ｐ１＋Ｐ２）のベクトルＰ３で表される電圧が印加されることになる。
【００５３】  すなわち、図４ｃで示すように、ベクトルＰ３はベクトルＰ２から更に１２０度位相が遅れた位相角ｄ３の電源となり、「回転さすり」の効果を実現できる。
【００５４】  第１電極１１，第２電極１２，第３電極１３の位置関係によって、右回転と感じるか、左回転と感じるかが変わる。
【００５５】  また、同じ第１電極１１，第２電極１２，第３電極１３の位置関係であっても、第１出力波１１３から１２０度位相が遅れた第２出力波１１８とするか、第１出力波１１３から１２０度位相が進んだ第２出力波１１８とするかによっても、「右回転さすり」か「左回転さすり」かを切り替えることができる。
【００５６】  「回転さすり」の効果を生ずるのに、第１出力波１１３に対する第２出力波１１８の位相遅れまたは位相進み（φ）は、厳密に±１２０度である必要は無く、略±１２０度で良い。また、第１電極１１，第２電極１２，第３電極１３の位置で形成する三角形の形状によって、「回転さすり」の回転速度が均一か、不均一かも変わる。
【００５７】  位相モード設定用操作パネル８で、周波数値１５１を変えることで、「回転さすり」の回転速度を変えることができる。周波数値１５１を０．０５Ｈｚ程度にすると、ゆっくりとした「回転さすり」効果を得ることができる。
【００５８】  周波数値１５１を上げていくと「回転さすり」効果の回転速度が早くなり、１０Ｈｚ程度まで、周波数を上げると「回転さすり」が高速で連続した「面さすり」の効果を得ることが可能となる。周波数値１５１の設定は、連続可変可能としても良いし、段階的に設定可能とするようにしても良い。
【００５９】  また、間欠波１０６の低周波周期１０５は、１ｋＨｚ〜１０ｋＨｚとしているのは、この周波数範囲がいろいろな体感の変化を感じられることに基づいている。
【００６０】  また、高周波は、パルス周波数ｆ１が１０ｋＨｚから６５０ｋＨｚの任意の周波数を使用可能である。高周波の周波数は、高い方が生体の奥に浸透すると一般的に言われている。また周波数が高い方が生体表面のピリピリ感が少ないとも言われていて、目的に応じて周波数を選定すれば良い。
【００６１】  下限の１０ｋＨｚは、間欠波１０６の低周波周期１０５の上限を１０ｋＨｚとすることに基づく。
【００６２】  また、上限を６５０ｋＨｚとしているのは、実用的に、波形発生装置の操作者がリード線処理をし易くする為に、波形発生装置本体から３本の電極リード線を立体的あるいは平面的に束ねて出し、生体表面に配置する電極付近で分割する構造としており、６５０ｋＨｚ以上にすると束ねている部分のストレーキャパシターにより信号減衰等の影響が顕著になったりする為である。
【００６３】  ３本のリード線を波形発生装置本体から束ねることなく、分離して出す様にすれば、１ＭＨｚ程度まで実施可能である。
【００６４】  また、波形選択用操作パネル７で、「インナートレーニング」というメニューを選択した場合で説明したが、「リラクゼーション」など、他のメニューを設定しても良いことは言うまでもない。
【００６５】  次に「上下もみ」効果および「左右もみ」効果について説明する。以下の「上下もみ」および「左右もみ」は、図１に示すように、第１電極１１が三角形の上頂点第２電極１２が三角形の底辺左頂点、第３電極１３が三角形の底辺右頂点の場合で説明する。第１電極１１，第２電極１２，第３電極１３の位置関係を変えれば、「上下」や「左右」と言った位置関係が相対的に変わるのは、言うまでもない。
【００６６】  波形選択用操作パネル７及び波形強度設定用操作パネル９の設定は「回転さすり」から特に変更の必要は無い。位相モード設定用操作パネル８で、「上下」というメニューが選択されると、ＣＰＵ１は、各操作パネル７，８及び９からの選択・設定値ならびにプログラム設定値に基づいて２相信号発振部４に対し、第１出力波１１３と第２出力波１１８との位相関係１５２のみを変更する。
【００６７】  ＣＰＵ１は２相信号発振部４に対し位相１５２を、第１サイクル目では、第２超低周波信号の極性値１１６を極性値１１１と同相、すなわちφ＝０度とする。そして、第１サイクルの終了時にＣＰＵ１に対してタイミング信号１５４を出力する。
【００６８】  第２サイクル目では、ＣＰＵ１は２相信号発振部４に対し位相１５２を、第２超低周波信号の極性値１１６を極性値１１１と逆相、すなわちφ＝１８０度に変更する。第２サイクルの終了時にＣＰＵ１に対してタイミング信号１５４を出力する。
【００６９】  第３サイクル目では、ＣＰＵ１はφ＝０度に戻す。以上の様に、第２超低周波信号の１サイクル毎に、φを０度と１８０度とに交互に変更する。
【００７０】  ２相信号発振部４は、「回転さすり」の場合と同様に、Ａｓｉｎ（θ）に基づき第１出力制御部５に図５ｂで示す第１超低周波信号の極性値１１１と図５ｃで示す第１超低周波信号の振幅値１１２とを出力し、Ａｓｉｎ（θ＋φ）に基づき、第２出力制御部６に図５ｄで示す第２超低周波信号の極性値１１７と図５ｅで示す第２超低周波信号の振幅値１１７とを出力する。
【００７１】  第１出力制御部５は、図５ａで示す間欠波１０６を図５ｂで示す第１超低周波信号の極性値１１１で変化させ、図３ｃ同様の波形を生成（図示せず）し、図５ｃで示す第１超低周波信号の振幅値で振幅変調して、図３ｅ同様の波形を第１電極１１と第２電極１２との間に第１出力波１１３として出力（図示せず）する。
【００７２】  第２出力制御部６は、図５ａで示す間欠波１０６を図５ｄで示す第２超低周波信号の極性値１１６で変化させ、図３ｃ類似の波形を生成（図示せず）し、図５ｅで示す第２超低周波信号の振幅値で振幅変調して、図３ｅ類似の波形を第１電極１１と第３電極１３との間に第２出力波１１８として出力（図示せず）する。
【００７３】  図５ｂで示す極性値１１１と図５ｄで示す極性値１１６とが同相の場合、すなわち、図５ｆと図５ｇとが同相の場合をｐ１、極性値１１１と極性値１１６とが逆相の場合、すなわち、図５ｆと図５ｇとが逆相の場合をｐ２とすると、同相のｐ１では、第２電極１２と第３電極１３のみを感じ、逆相のｐ２では第１電極１１のみを感じて、ｐ１とｐ２とを交互に繰り返すことで「上下もみ」効果を実現できる。
【００７４】  周波数値１５１を０．０５Ｈｚ程度にすると、ゆっくりとした「上下もみ」効果を得ることができる。周波数値１５１を上げていくと「上下もみ」効果の上下移動速度が早くなり、１０Ｈｚ程度まで、周波数を上げると「上下もみ」という感覚を得られなくなる。
【００７５】  次に、「左右もみ」について説明する。波形選択用操作パネル７及び波形強度設定用操作パネル９の設定変更は特に必要無く、位相モード設定用操作パネル８で、「左右」というメニューが選択されると、ＣＰＵ１は、各操作パネル７，８及び９からの選択・設定値ならびにプログラム設定値に基づいて２相信号発振部４に対し、第１出力波１１３と第２出力波１１８との位相関係１５２のみを変更し、φ＝略１８０度とする。
【００７６】  ２相信号発振部４は、「回転さすり」の場合と同様に、Ａｓｉｎ（θ）に基づき第１出力制御部５に図６ｂで示す第１超低周波信号の極性値１１１と図６ｃで示す第１超低周波信号の振幅値１１２とを出力し、Ａｓｉｎ（θ＋φ）に基づき、第２出力制御部６に図６ｄで示す第２超低周波信号の極性値１１６と図６ｅで示す第２超低周波信号の振幅値１１７とを出力する。
【００７７】  「回転さすり」の場合と同様に、２相信号発振部４は、ＣＰＵ１に対して、第１超低周波信号の極性値１１１と振幅値１１２とで規定される第１出力波１１３の１サイクル毎のタイミング信号１５４と、第２超低周波信号の極性値１１６と振幅値１１７とで規定される第２出力波１１８の１サイクル毎のタイミング信号１５４とを出力する。
【００７８】  すなわち、θ＝３６０度のタイミングとθ＋φ＝３６０度のタイミングとを、２相信号発振部４は、ＣＰＵ１に対して知らせて、２相信号間の同期を維持する。
【００７９】  第１出力制御部５は、図６ａで示す間欠波１０６を図６ｂで示す第１超低周波信号の極性値１１１で変化させ、図３ｃ同様の波形を生成（図示せず）し、図６ｃで示す第１超低周波信号の振幅値１１２で振幅変調して、図３ｅ同様の波形を第１電極１１と第２電極１２との間に第１出力波１１３として出力（図示せず）する。
【００８０】  第２出力制御部６は、図６ａで示す間欠波１０６を図６ｄで示す第２超低周波信号の極性値１１６で変化させ、図３ｃ類似の波形を生成（図示せず）し、図６ｅで示す第２超低周波信号の振幅値１１７で振幅変調して、図３ｅ類似の波形を第１電極１１と第３電極１３との間に第２出力波１１８として出力（図示せず）する。
【００８１】  第１出力波１１３が正で第２出力波１１８が負の半周期と、第１出力波１１３が負で第２出力波１１８が正の半周期とを交互に繰り返すことで、「左右もみ」効果を実現できる。
【００８２】  周波数値１５１を０．０５Ｈｚ程度にすると、ゆっくりとした「左右もみ」効果を得ることができる。周波数値１５１を上げていくと「左右もみ」効果の左右移動速度が早くなり、１０Ｈｚ程度まで、周波数を上げると「左右もみ」という感覚を得られなくなる。
【００８３】  また、図６ｇの破線２０１で示すように、第１出力波１１３に対し、第２出力波１１８の位相を、極性が反転している状態（φ＝略−１８０度）から例えば３０度、更に進める（φ＝略−１５０度）ことで、「右から左になでる」状態を実現できる。
【００８４】  逆に、図６ｇの破線２０２で示すように、第１出力波１１３に対し、第２出力波１１８の位相を、極性が反転している状態（φ＝略−１８０度）から例えば３０度、更に遅らせる（φ＝略−２１０度）ことで、「左から右になでる」状態を実現できる。
【００８５】  なお、φ＝略−１８０度から更に進めたり遅らせたりする程度は、３０度に限定されず、１０度から３０度程度が効果を発揮しやすい。１０度程度であれば、軽くなでる様に感じ、３０度程度では強くなでる様に感じる。
【００８６】  以上説明した様に、本実施の形態によれば、わずか２個の出力制御部と３個の電極で、「回転さすり」「上下もみ」「左右もみ」の感覚を、電極の位置を変更することなく、得ることができ、治療時の電極の結線まちがいやリード線のからみが生じ難く、また治療後の電極片づけが容易な波形発生装置を提供できる。
【００８７】  以上の説明は本発明の好適な実施の形態の例証であり、本発明の範囲はこれに限定されることはない。
【産業上の利用の可能性】
【００８８】  本発明に係る波形発生装置は、生体に電気刺激を与えることで筋肉トレーニング、リラクゼーション、シェイプアップ、および筋肉痛施術、疲労回復などを効果的に行う生体刺激用信号の波形発生装置として好適である。
【符号の説明】
【００８９】１  ＣＰＵ
２  連続波発振部
３  間欠波変換部
４  ２相信号発振部
５  第１出力制御部
６  第２出力制御部
７  波形選択用操作パネル
８  位相モード設定用操作パネル
９  波形強度設定用操作パネル
１１  第１電極
１２  第２電極
１３  第３電極
１０１，１０２  指示値
１０３  第１の時間幅
１０４  第２の時間幅
１０５  低周波周期
１０６  間欠波
１１１，１１６  極性値
１１２，１１７  振幅値
１１３  第１出力波
１１８  第２出力波
１５１  周波数値
１５２  位相関係
１５３  振幅最大値
１５４  タイミング信号
【図１】
2019093093.tif 000003
【図２】
2019093093.tif 000004
【図３】
2019093093.tif 000005
【図４】
2019093093.tif 000006
【図５】
2019093093.tif 000007
【図６】
2019093093.tif 000008
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
生体表面の任意の三角形の頂点となる位置にそれぞれ配置する第１，第２及び第３電極と、第１の時間幅を有する高周波部分と第２の時間幅を有する休止部分とで１サイクルを構成する間欠波をあらかじめ定めた低周波周期で連続して出力する間欠波生成手段と、周波数が同一の第１及び第２超低周波信号を発振する２相信号発振手段と、前記間欠波生成手段が出力した間欠波を前記第１超低周波信号で振幅変調し前記第１電極と前記第２電極との間に出力する第１出力制御手段と、前記間欠波生成手段が出力した間欠波を前記第２超低周波信号で振幅変調し前記第１電極と前記第３電極との間に出力する第２出力制御手段と、を備え、前記第１超低周波信号と、前記第２超低周波信号とを、あらかじめ定めた位相関係とすることを特徴とする電気的刺激を前記生体に与える波形発生装置。
【請求項２】
前記高周波の周波数は、１０ｋＨｚ以上、６５０ｋＨｚ以下であることを特徴とする請求項１に記載の波形発生装置。
【請求項３】
前記低周波周期の周波数変換値は、１ｋＨｚ以上、１０ｋＨｚ以下であることを特徴とする請求項１または２記載の波形発生装置。
【請求項４】
前記第１超低周波および前記第２超低周波信号の周波数は、０．０５Ｈｚ以上、１０Ｈｚ以下であることを特徴とする請求項１乃至３のいずれか１項記載の波形発生装置。
【請求項５】
前記あらかじめ定めた位相関係が、前記第１超低周波信号の位相に対し、前記第２超低周波信号の位相が、略１２０度、進んでいるか、或いは遅れていることを特徴とする請求項１乃至４のいずれか１項記載の波形発生装置。
【請求項６】
前記あらかじめ定めた位相関係が、前記第１超低周波信号の位相と前記第２超低周波信号の位相のいずれか一方が、他方に対して１サイクル毎に同相と逆相を交互に繰り返すことを特徴とする請求項１乃至４のいずれか１項記載の波形発生装置。
【請求項７】
前記あらかじめ定めた位相関係が、前記第１超低周波信号の位相と前記第２超低周波信号の位相とが略逆相の関係であることを特徴とする請求項１乃至４のいずれか１項記載の波形発生装置。
【請求項８】
前記第１超低周波信号の位相と前記第２超低周波信号の位相とが略逆相の関係から、更に１０度以上、３０度以下の範囲での位相の遅れ又は進みがあることを特徴とする請求項１乃至４のいずれか１項記載の波形発生装置。
【請求項９】
前記第１の時間幅を第３超低周波数で、前記低周波周期を第４超低周波数で、変化させることを特徴とする請求項１乃至８のいずれか１項記載の波形発生装置。
【手続補正２】
【補正対象書類名】明細書
【補正対象項目名】００１６
【補正方法】変更
【補正の内容】
【００１６】  図２ｂは、ＣＰＵ１から出力される指示値１０２に基づいて、連続高周波を第１の時間幅１０３と第２の時間幅１０４を有する休止部分とで１サイクルを構成する周波数変換値がｆ２の低周波周期１０５を有する間欠波に変換して間欠波変換部３から連続して出力された間欠波１０６を示す図である。
【手続補正３】
【補正対象書類名】明細書
【補正対象項目名】００４０
【補正方法】変更
【補正の内容】
【００４０】  ＣＰＵ１は、間欠波変換部３に対して、指示値１０２により制御し、例えば、連続高周波ｆ１を第１の時間幅１０３が５０μ秒から４００μ秒の範囲を第３超低周波数２０Ｈｚで変化し、周波数ｆ２が１ｋＨｚから１０ｋＨｚの範囲を第４超低周波数５Ｈｚで変化する低周波周期１０５を有する間欠波１０６として、第１出力制御部５及び第２出力制御部６に出力する。
【手続補正４】
【補正対象書類名】明細書
【補正対象項目名】００４１
【補正方法】変更
【補正の内容】
【００４１】  なお、第１の時間幅１０３及び周波数ｆ２が周期的に変化している状態は図示していない。また、第３超低周波数と第４超低周波数とは同期していても非同期でも良く、更には第３超低周波数あるいは第４超低周波数が変化せず、固定であっても良い。
【手続補正５】
【補正対象書類名】明細書
【補正対象項目名】００４２
【補正方法】変更
【補正の内容】
【００４２】  第３超低周波数あるいは第４超低周波数を変化させると生体への刺激を変化でき、インナートレーニングやリラクゼーション効果を高めることが出来る。
【手続補正６】
【補正対象書類名】明細書
【補正対象項目名】００５９
【補正方法】変更
【補正の内容】
【００５９】  また、間欠波１０６の低周波周期１０５の周波数変換値は、１ｋＨｚ〜１０ｋＨｚとしているのは、この周波数範囲がいろいろな体感の変化を感じられることに基づいている。
【手続補正７】
【補正対象書類名】明細書
【補正対象項目名】００６１
【補正方法】変更
【補正の内容】
【００６１】  下限の１０ｋＨｚは、間欠波１０６の低周波周期１０５の周波数変換値の上限を１０ｋＨｚとすることに基づく。